(57)【要約】【課題】パラパラ動画を構成する各紙片のうち、捲る部分の端辺を鋏等により切り出す必要がないプリント用紙を印刷する。【解決手段】ＣＣＤカメラ１２が被写体を連続して撮像する。表示装置１３は、被写体となる人物の顔の位置に配置されている。入力装置１４は被写体となる人物が操作し易い箇所に設置されている。制御装置１６は、パラパラ動画を構成する紙片のうちの捲る部分の端部がプリント用紙の端辺と一致するような配列で、各撮像画像をプリント用紙に印刷する。プリンタ１５は、印刷済みの用紙を排出口１７から排出する。【選択図】　図１
2004082414.tif 000002
【特許請求の範囲】
【請求項１】
一端部で束ねて他端部を捲ることにより動画を表示させる複数枚の紙片のそれぞれに描かれる紙片画像を、プリント用紙に印刷するプリント装置であって、
被写体を連続して撮像する撮像手段と、
前記撮像手段により連続して撮像された被写体の画像データを記憶する記憶手段と、
前記記憶手段に記憶されている画像データに基づいて、複数枚の紙片にそれぞれ印刷する紙片画像を生成し、生成した紙片画像を、各紙片の捲る部分の端辺が定型のプリント用紙の端辺と一致する配置で纏めて印刷する印刷手段と、
を備えることを特徴とするプリント装置。
【請求項２】
前記印刷手段は、撮像された順番を示す情報を含む画像を紙片画像とともにプリント用紙に印刷することを特徴とする請求項１に記載のプリント装置。
【請求項３】
前記印刷手段は、定型の四角形のプリント用紙を収容する手段と、
各紙片の捲る部分の端辺が定型のプリント用紙の４辺のいずれかと一致し、且つ、連続する配置で、複数紙片分の紙片画像を印刷する手段と、を備える、
ことを特徴とする請求項１又は２に記載のプリント装置。
【請求項４】
前記プリント用紙は、端辺が補強されている、ことを特徴とする請求項１、２又は３に記載のプリント装置。
【発明の詳細な説明】
【０００１】
【発明の属する技術分野】
本発明は、被写体の静止画を連続して撮像し、それらの撮像画像を用紙に印刷するプリント装置に関する。
【０００２】
【従来の技術】
所謂パラパラ動画（パラパラ漫画）は、動画の表示原理を理解する上で格好の教材である。従って、動画の原理を理解させるためには、パラパラ動画を作成する作業を体験させることが有効である。例えば、連続して撮影された複数の静止画が印刷された用紙を、個々の静止画（紙片画像）が印刷された紙片に分割し、分割した紙片の一端を固定して束ね、他端を捲るという作業を、体験的に実施させることが有効である。
【０００３】
しかし、大きな用紙を分割して、パラパラ動画を構成する各紙片を作成すると、紙片の切口やサイズが不揃いになり、紙片を束ねて捲る際に、スムーズに紙片を捲ることができず、従って、画像の動きもスムーズに表示されなくなる場合が多かった。特に、児童・生徒に実習させる場合、安全を考えて、ナイフを使用せずに鋏を使用して大版の印刷紙から各紙片を切り出す場合には、満足できるものを作成するのが困難であり、児童・生徒の興味を却って阻却する場合があった。
【０００４】
【発明が解決しようとする課題】
被写体を連続して撮像し、いわゆるパラパラ漫画（パラパラ動画）用にそれらの撮像画像を印刷して、パラパラ漫画用の冊子をへて提供するプリント装置が、特開平１０−３２７３７６号公報及び特開平１０−１１５８６６号公報に開示されている。
しかし、これらの公報に開示されているプリント装置では、長方形の大判のプリント用紙に印刷された画像が縦横に連続しているので、各紙片を切り出す際に、切口やサイズが不揃いになるという前述の問題点が存在する。
また、各紙片画像を、シールに印刷することも開示されているが、これでは、体験的学習の価値を半減してしまう。
【０００５】
本発明は、上述した問題点に鑑みてなされたものであり、いわゆるパラパラ動画を容易に作成することを可能とするプリント装置を提供することを目的とする。
また、本発明は、優れた教材的価値を有するパラパラ動画の作成を可能とするプリント装置を提供することを他の目的とする。
【０００６】
【課題を解決するための手段】
上記目的を達成するために、本発明のプリント装置は、
一端部で束ねて他端部を捲ることにより動画を表示させる複数枚の紙片のそれぞれに描かれる紙片画像を、プリント用紙に印刷するプリント装置であって、
被写体を連続して撮像する撮像手段と、
前記撮像手段により連続して撮像された被写体の画像データを記憶する記憶手段と、
前記記憶手段に記憶されている画像データに基づいて、複数枚の紙片にそれぞれ印刷する紙片画像を生成し、生成した紙片画像を、各紙片の捲る部分の端辺が定型のプリント用紙の端辺と一致する配置で纏めて印刷する印刷手段と、
を備えることを特徴とする。
【０００７】
この発明によれば、被写体の動きを表示するパラパラ動画の冊子を構成する各紙片のうち、捲る部分の端辺については、定型紙の端辺に一致するので、切断する必要がない。従って、その端辺はきれいな直線状に維持され、その端辺をそろえることも可能である。従って、大きな用紙から各紙片を切り出す作業を残して体験的価値を維持しつつ、捲る部分の端辺を適切な状態に維持することが可能である。
【０００８】
前記紙片画像は、例えば、撮像された順番を示す情報を含む画像を含んでもよい。
【０００９】
前記印刷手段は、例えば、定型の四角形のプリント用紙を収容する手段と、各紙片の捲る部分の端辺が定型のプリント用紙の４辺のいずれかと一致し、且つ、連続する配置で、複数紙片分の紙片画像を印刷する手段と、を備える。
【００１０】
前記プリント用紙は、捲り易いように端辺が補強されてもよい。
【００１１】
【発明の実施の形態】
図１は、本発明の実施の形態に係るプリント装置１０の概略構成図である。
このプリント装置１０は、複数の紙片が束ねられ、その束の一端部を指又は留具により固定してその反対側の端部を捲ることにより、動画を表示させるために、複数の紙片に印刷する複数の画像を１枚のプリント用紙に纏めて印刷するものである。
【００１２】
このプリント装置１０は、ＣＣＤカメラ１２と、表示装置１３と、入力装置１４と、プリンタ１５と、制御装置１６と、これらを収容するケース１１と、を備える。
【００１３】
ＣＣＤカメラ１２は、ケース１１の前面パネルの、被写体となる人物のほぼ顔の高さの位置に配置され、被写体の画像を撮像する。
表示装置１３は、ＣＲＴ（Ｃａｔｈｏｄｅ　Ｒａｙ　Ｔｕｂｅ）、液晶装置等から構成され、被写体となる人物のほぼ顔の高さの位置に配置され、表示窓１８を介して画面を表示する。
【００１４】
入力装置１４は、被写体となる人物が操作し易い箇所に設置されたキーボード等から構成され、さまざまな指示を入力する。
プリンタ１５は、図２（ａ）に示すような定型（例えば、Ａ４版）のプリント用紙２１を収容する用紙収容部を備え、任意の画像をプリント用紙２１に印刷して、ケース１１の前面パネルに形成された排紙口１７から排出する。プリント用紙２１の周縁に配置された４つの領域２２〜２５には、樹脂が含浸されて補強されている。これらの４つの領域２２〜２５は、後述するように、この用紙を複数の紙片に分割して、パラパラ動画を表示する小冊子を作成した際に、ページを捲る部分に相当する。
【００１５】
制御装置１６は、コンピュータより構成され、ＣＣＤカメラ１２、表示装置１３、入力装置１４、及びプリンタ１５に接続されている。制御装置１６の動作については、フローチャートを参照して後述する。
【００１６】
制御装置１６は、図２（ｂ）に示すフォーム画像３１を予め記憶しており、また、１枚のプリント用紙２１に印刷する画像データを展開するためのページメモリを備える。
【００１７】
図２（ｂ）に示すフォーム画像３１は、図２（ａ）に示す定型のプリント用紙２１に該用紙と同一のサイズで重ねて印刷されるためのもので、実線に沿って切り取ると、パラパラ動画を構成するための３０枚の紙片が得られる。各紙片領域には、束ねる（並べる）順番を示す番号が付されている。各紙片領域に、動かしたい画像を順番に印刷し、実線に沿って紙片を切り取って、数字順に重ね、数字が印刷された部分（紙片の一端）を指や留具でおさえて、他端部を捲ると、動画が表示される。図示するように、各紙片の捲る部分の端辺（各紙片の右辺）は、定型プリント用紙２１の４辺のいずれかと一致している。
【００１８】
次に、実施の形態に係るプリンタ装置１０の動作を、図３に示すフローチャートを参照して説明する。
ＣＣＤカメラ１２は、撮影を常時行っており、制御装置１６は、撮影画像を表示装置１３に適宜表示すると共に、プリント装置１０の動作説明を表示装置１３に表示する。
【００１９】
ユーザにより、入力装置１４上の「スタートボタン」が押下されると、制御装置１６は、図３のフローチャートに示す処理を開始し、まず、一定時間後に撮影を開始する旨の予告を表示装置１３に表示する（ステップＳ１１）。
制御装置１６は、予告時間が経過すると、ＣＣＤカメラ１２から供給される画像を、所定の撮像間隔時間（例えば、１秒）で所定回数（例えば、３０回）取り込んで、図４に示すように順次内部ＲＡＭ上に展開・格納する（ステップＳ１２）。
【００２０】
次に、制御装置１６は、ページメモリ上に、図２（ｂ）に示すフォーム画像３１を展開する（ステップＳ１３）。
次に、制御装置１６は、図５に拡大して示すように、撮影した３０枚の各画像を、ページメモリ上のフォーム画像３１上の各紙片領域に順番に展開する。即ち、第１番目の撮像画像をフォーム画像３１の第１の紙片領域３１１に向きを揃えて展開し、第２番目の撮像画像を、フォーム画像３１の第２の紙片領域３１２に向きを揃えて展開し、．．．第３０番目の撮像画像を、フォーム画像３１の第３０の紙片領域に向きを揃えて展開する。この作業により、パラパラ動画を構成する複数枚の紙片にそれぞれ印刷する紙片画像が生成される。
【００２１】
このようにして、図６に示すような、３０枚の紙片の画像を纏めて１枚のプリント用紙２１に印刷するための画像をページメモリ上に合成する（ステップＳ１４）。この画像は、パラパラ動画を構成する各紙片に印刷すべき画像を１枚に纏め、さらに、紙片の区切りを実線で表したものである。
【００２２】
次に、制御装置１６は、合成した画像データをプリンタ１５に送信し、合成された画像をプリント用紙２１に印刷する（ステップＳ１５）。このとき、印刷される画像サイズがプリント用紙２１のサイズと一致するように、画像のサイズを調整する。これにより、パラパラ動画を構成する各紙片の捲る部分の端辺がプリント用紙２１の端辺と一致する配置で、各紙片の画像がプリント用紙２１に纏めて印刷される。プリンタ１５は、印刷済の用紙を、排紙口１７から排出する。
以上で、制御装置１６の今回の処理は終了し、制御装置１６は待機状態に戻る。
【００２３】
利用者は、印刷されたプリント用紙２１を受け取ると、鋏等を使って、紙面に印刷されている実線に沿って切断し、プリント用紙２１を３０枚の紙片に分割する。このとき、各紙片の右辺は、プリント用紙の端辺に一致しているので、切断する必要はない。続いて、紙片を印刷されている数字（印刷番号）順に並べて、番号が印刷されている部分を、指、留具等で固定して束ねる。そして、他端部を連続的に捲ると、ＣＣＤカメラ１２で撮像された静止画が順次切り替わって、動画として表示される。このとき、各紙片の捲る部分の端辺は、プリント用紙２１の端辺であるので、鋏により不揃いになったり、各紙片のサイズが大きくばらついたりすることがほとんどない。従って、捲り部分の端が揃い、紙片の束の他端部をスムーズに捲ることができ、画像の動きもスムーズになる。
【００２４】
また、プリント用紙２１の捲り部となる領域２２〜２５に予め樹脂が含浸されて補強されているので、捲り易く、紙片がよれることもない。
【００２５】
以上説明したように、この実施の形態によれば、生徒・児童にパラパラ動作を作成する実体験を通して動画の表示原理を理解させつつ、さらに、工作に伴う不便を抑える事ができる。従って、児童・生徒の興味を維持しつつ優れた教材としてのパラパラ動作を提供できる。
【００２６】
なお、この発明は、上記実施の形態に限定されず、種々の変形及び応用が可能である。例えば、図１に示した装置構成は、任意に変更可能である。また、各紙片の捲る部分の辺がプリント紙の予め切断されている辺と一致させることができるなら、それらの構成や配置は任意である。
【００２７】
【発明の効果】
以上、本発明によれば、パラパラ動作を作成する際に、捲る部分を切り出す必要がないプリント用紙を印刷することができる。
【図面の簡単な説明】
【図１】本発明の実施の形態に係るプリント装置の構成を示す概略構成図である。
【図２】（ａ）はプリント用紙の例、（ｂ）は、フォーム画像の例を示す図である。
【図３】図１に示すプリント装置の動作を示すフローチャートである。
【図４】連続的に取得される被写体の画像の例を示す図である。
【図５】フォーム画像と撮像画像とを合成する方法を説明するための図である。
【図６】プリント用紙に印刷される画像（フォーム画像と撮像画像とを合成したもの）の例を示す図である。
【符号の説明】
１１　ケース
１２　ＣＣＤカメラ
１３　表示装置
１４　入力装置
１５　プリンタ
１６　制御装置
１７　排紙口
１８　表示窓
１９　プリント用紙
２２〜２５　樹脂含浸領域
３１　フォーム画像
３１１〜３１２　紙片領域
【図１】
2004082414.tif 000003
【図２】
2004082414.tif 000004
【図３】
2004082414.tif 000005
【図４】
2004082414.tif 000006
【図５】
2004082414.tif 000007
【図６】
2004082414.tif 000008